(57)【要約】【課題】  トイレの使用後の便器に付着した便にエチケットノンブラシシートを被せるだけで付着した便をより簡単に洗い流すことができる。【解決手段】  本発明のエチケットノンブラシシートは、吸水性を有し、繊維同士が水中で分解する紙製のシートを基材２とする。【選択図】  図５
2007126840.tif 000002
【特許請求の範囲】
【請求項１】
吸水性を有し、繊維同士が水中で分解する紙製のシートを基材とするエチケットノンブラシシート。
【請求項２】
紙製のシートの表面に、縞模様又は多数の点又はシートに部分的に厚みを持たせた凹凸を形成したことを特徴とする請求項１に記載のエチケットノンブラシシート。
【請求項３】
紙製のシートに色彩を付したり、模様を付すことを特徴とする請求項１又は２に記載のエチケットノンブラシシート。
【請求項４】
紙製のシートに香りを浸み込ませてあることを特徴とする請求項１又は２又は３のいづれかの項に記載のエチケットノンブラシシート。
【発明の詳細な説明】
【技術分野】
【０００１】
本発明は、水を流した後の水洗トイレの便器に付着した便をブラシ等で擦ることなく、付着した便を綺麗に洗い流すことができるエチケットノンブラシシートに関するものである。
【背景技術】
【０００２】
トイレの後に便器の底部や周壁に便が付着することがある。和式と洋式の水洗トイレでは、便器の内側底部に僅かに水が溜まっている箇所に便が落ちるので、トイレの後の便が便器の水溜り部に便が付着することは無いが水溜り以外の内側底部や内側周壁に付着することがある。又水を流した際に便が流れる過程において内側底部や内側周壁に付着することがある。付着した便は直にブラシ等で擦って取らないと空気に触れて乾燥し取りずらくなる。
【０００３】
通常、一般家庭では、このような便器に付着した便は、備え付けのブラシで擦って清掃している。また、公衆のトイレでは定期的に清掃作業員がブラシ等で便器の清掃作業を行っている。
【０００４】
また、一般家庭で別の方法として、界面活性剤の入った洗浄剤を貯水タンクに設置しておき、貯水タンク内の水に溶け出した洗浄剤を便器に流すことにより、便器を清掃しようとする方法もあるが、水の中に残った便は次回流すときに取れるが水の溜まっていないところに付着した便はこの洗浄剤でも取れなかった。
【特許文献１】特開平１１−９９０９１号公報
【発明の開示】
【発明が解決しようとする課題】
【０００５】
しかし、便器に付着した便をブラシ等で擦って落とす場合、自分が使用したトイレの後始末であっても、その清掃作業はあまり気分のよいものではない。まして、他人の使用した後の便器の清掃は不快なものである。しかも、一般家庭においては、清掃後のブラシを水洗トイレの水で洗ってブラシ収納ボックスに収納するが、ブラシの洗浄が不十分であると不衛生となるばかりでなく、雑菌が繁殖して悪臭を発して好ましくない。
【０００６】
また、タンクに入れる洗浄剤は、界面活性剤等の化学剤を含んでおり、水洗トイレから流すとこれらの化学剤が分解されずに河川や海に流れ込み、環境汚染を引き起こすおそれがあって好ましくない。
【０００７】
また、付着した便を取るために何度も水を流すのは水道料金の上昇につながっていた。
家庭で1回余分に流すと1回につき、１０〜１２リットルで東京都内なら約8円大阪市内で約7円が必要となっていた。
【０００８】
また付着した便をそのままにして置くと臭いの原因にもなっていた。
本発明はかかる従来の問題点を解決するもので、シートを被せることにより、簡単に便器に付着した便を清掃することができるエチケットノンブラシシートを提供することを目的とするものである。また、便器に付着した便を取るために何回も水を流さず水道料金が余分に掛かることを軽減でき、また臭いも軽減できるエチケットノンブラシシートを提供することを目的とする。
【課題を解決するための手段】
【０００９】
上記目的を達成するために本発明のエチケットノンブラシシートは、吸水性を有し、繊維同士が水中で分解する紙製のシートを基材とする。基材は繊維を薄く積層した水に分解するシートであって、表面に凹凸を形成したものであってもよい。凹凸は縞模様、多数の点、又はシートに部分的に厚みを持たせたものであってもよくその凹凸の形状は問わない。紙製のシートに色彩を付したり、模様を付してもよい。また、紙製のシートに香りを浸み込ませてもよい。また、エチケットノンブラシシート自体の形状も便器の内側に敷設できる適当な大きさと形であればよく、特定の形状に限定されない。      
【００１０】
上記のエチケットシートは水を吸収して柔らかくなって便器の表面に対して密着性がよくなる。また、水洗トイレの水で流した後は、水中で繊維が分解するので、便器や下水パイプに詰まるおそれがない。
【発明の効果】
【００１１】
本発明によれば、エチケットノンブラシシートを便器に付着した便に被せて、後で水で流すことにより便を簡単に洗い流すことができる。
【発明を実施するための最良の形態】
【００１２】
以下において本発明のエチケットノンブラシシートについて図面を用いて説明する。
図１は本発明のエチケットノンブラシシートの斜視図である。図においてエチケットノンブラシシート１は紙製のシートを基材２としており、この基材２は吸水性を有し、水により繊維同士が分解して水に溶解する素材を用いている。
【００１３】
具体的にはこの基材２は植物繊維から出来ており、細い繊維が積み重なって薄い紙製のシートで構成し、繊維同士は接着剤を加えることなく結合している。繊維は主として木の木質部から取り出したものを使用しているが、材料は木だけに限定されるものではなく、例えば、最近環境にやさしいといわれて使用されているケナフのような植物の繊維を使用してもよい。もちろん、この繊維の素材は、木の皮、竹、草、野菜や果物の繊維であってもよく、材料は特定のものに限定されない。また、古紙のパルプを使用してもよい。
【００１４】
前記のような植物繊維を水中で機械的に押しつぶしたり切断したりする叩解を行う。叩解によって繊維同士がくっ付く力が増すことができる。ただし、本発明のエチケットノンブラシシート１は水により適当に分解しなければならないので、過度な叩解により繊維同士の分解が困難であってはならない。また、繊維が長いと絡み合って毛玉になり均一な基材が出来ないので、長すぎる繊維は叩解により切断して均一な長さとする。
【００１５】
叩解した繊維を水の中に浮かせてよくかき混ぜて簀の上に薄く敷きのばして紙をすき、簀の上で乾燥させる。機械で紙をすく場合は、水に溶かした繊維（紙料）を抄紙機にかけて紙を製造する。抄紙機は無端状の金網（ワイヤー）が回転している上から紙料を勢いよく噴射して水分を落下させローラ等で絞りながら乾燥ローラで乾燥する。紙すきは繊維の濃度が高いと繊維が絡み合って紙が分解し難いので、濃度を薄くして地合の良い紙を製造する必要がある。紙すきの際には繊維同士を接着する薬剤は使用しない。これにより、繊維同士が水でばらばらに分解するので、シート状の基材が便器７に詰まるおそれが無い。
上記のようにしてシート状の基材２を製造するが、その基材２の形状は特に問わない。長方形や正方形の四角形であってもよく、長尺なロール状にしたものを裁断して使用してもよい。
【００１６】
また、基材２の表面に凹凸３を形成するのが好ましい。凹凸３は、図２、図３に示すような縞模様であってもよい。図２はシートの基材の表面に経と緯に縞模様４の筋をつけたものである。また、図３に示すように、経または緯に筋５を付けたものであってもよい。また、図４に示すように、多数の点６からなる凹凸を基材２の表面に形成してもよい。
【００１７】
さらに、図７に示すように、基材２を経と緯に折り重ねて凹凸を形成するようにしてもよい。この実施の形態では折り重ねた部分が元に戻らないように、しっかりと折り目を付けるとともに、必要とあらばスポット的に有機性の接着剤（例えば、澱粉糊）を塗布して折り目が戻らないようにする。なお、図７では基材２を経と緯に折り重ねて凹凸を形成しているが、経または緯のいずれか一方を折り返す構成にしてもよい。
【００１８】
さらに、図示していないが、図７の折り返しの部分の凸部のラインを、基材２の紙の厚みで太くして凸部のラインを形成してもよい。この場合は紙を漉く技術により基材２に凸状の経および／または緯のラインを形成する。さらに図示していないが、全くのランダムな凹凸であってもよく特別にその凹凸の形状は問わない。
【００１９】
また、エチケットノンブラシシート１は綺麗な色彩を付してもよい。さらに、図８に示すように、シート１の表面に綺麗な模様を印刷してもよい。このように色彩を付したり模様を印刷することにより便器７に付着した便が透き通って見えることを防止することができると共に、後にトイレを使用するものがトイレットペーパの流し忘れと誤解し不快な感じを抱くことがない。
さらに、紙製のシート基材２に香りを浸み込ませてもよい。香りを染み込ませることにより、エチケットノンブラシシートとしての商品価値が向上すると共に、このシートを家庭用のトイレに設置しておけばトイレの不快な臭いもしなくなる。なお、香りの種類は問わないがハーブのような自然な素材から抽出したものが好ましい。
次に本発明のエチケットノンブラシシート１の使用方法を説明する。図５は使用状態を示す斜視図、図６は使用状態の断面図である。通常、トイレ後に水洗トイレの水を流しても便が柔らかいと便器７の内側底部８に付着して、タンクの水を数回流しても洗い流すことが出来ない場合がある。このような場合に本発明のエチケットノンブラシシート１を便９の上から覆っておく。エチケットノンブラシシート１をそのままの状態にしておき、次のトイレを使用する者が水を流せば便器７に付着した便９が洗い流される。便器７に付着した便９はシート１で隠れているので、次の者に不愉快な感じを与えることがなく次の者がトイレの水を流した時に付着した便９はエチケットノンブラシシート１と共に流れる。従って、従来のやり方のようにブラシで擦るような掃除の必要が全くなく、しかも、エチケットノンブラシシート１は水に分解するので水で流しても便器７や下水パイプが詰まるおそれがないので、安心して使用することができる。
【００２０】
エチケットノンブラシシート１の基材２は、水洗トイレの便器７の内側底部８に溜まった水を吸収して便９の表面に密着する必要がある。このために、基材２は吸水性を有する素材でなければならない。前記のような紙製のシートであれば当然に吸水性に優れているので、最適である。
【００２１】
なお、便９は便器７の内側底部８に付着するばかりでなく、内側周壁１０に付着することがある。水の無い内側周壁１０に便が付着して乾燥すると水を流した程度では落ちない。その場合でも本発明のエチケットノンブラシシート１でその箇所を覆っておけば、シート状の基材２は便器の内側底部８に溜まった水を毛細管現象により吸い上げてシート全体が濡れるので、付着した便９の表面に密着して便９が便器７から落ち易くする。
【００２２】
さらに、エチケットノンブラシシート１の基材表面に凹凸３があると、シートを水で流す際に、凹凸３が便９を便器７から擦り落とす作用を果たすので、便９を綺麗に洗い流すことができる。
【００２３】
また、エチケットノンブラシシート１は水に浮くようなもので無い方がよい。水を吸水して沈む程度の重みがあることが好ましい。シート１が水に浮いて沈まないと便器７に付着した便９に密着することができず、洗い流す効果も少ないと考えられる。従って、エチケットノンブラシシート１の一枚の密度が大きいものでもよいが、シート１を複数枚重ねることにより、密度を上げて重くしてもよい。
【００２４】
上記の実施の形態では、便器９に付着した後の便９の清掃する方法について説明したが、このエチケットノンブラシシート１はトイレの前に便器７に本発明のシート１を敷いて用をたすようにしてもよい。そのようにすることにより、便が直接便器７に触れることなくエチケットノンブラシシート１で受けられるので、便器７が汚れることがなく他人に不快感を与えることがない。
【００２５】
なお、このエチケットノンブラシシート１をティッシュペーパのように携帯できるようにして、公衆トイレで使用すれば汚れがちな公衆トイレを気持ちよく使用することができ、トイレのマナーの向上にとって非常に好ましい。
【産業上の利用可能性】
【００２６】
本発明のエチケットノンブラシシートは、トイレの清掃用品として使用でき、トイレを清潔にするエチケット用品として適した商品である。
【図面の簡単な説明】
【００２７】
【図１】本発明のエチケットノンブラシシートの斜視図である。
【図２】本発明の他のエチケットノンブラシシートの斜視図である。
【図３】本発明の他のエチケットノンブラシシートの斜視図である。
【図４】本発明の他のエチケットノンブラシシートの斜視図である。
【図５】本発明のエチケットノンブラシシートの使用状態図である。
【図６】本発明のエチケットノンブラシシートの使用状態の縦断面図である。
【図７】本発明の他のエチケットノンブラシシートの斜視図である。
【図８】本発明の他のエチケットノンブラシシートの斜視図である。
【符号の説明】
【００２８】
１    エチケットノンブラシシート
２    基材
３    凹凸
４    縞模様
５    縞模様
６    点
７    便器
８    内側底部
９    便
１０  内側周壁
【図１】
2007126840.tif 000003
【図２】
2007126840.tif 000004
【図３】
2007126840.tif 000005
【図４】
2007126840.tif 000006
【図５】
2007126840.tif 000007
【図６】
2007126840.tif 000008
【図７】
2007126840.tif 000009
【図８】
2007126840.tif 000010